(57)【要約】【課題】吸着物質を除去する効率を高めることができる。【解決手段】吸着ユニットは、板状に形成されるフィルタと、フィルタの一部に対向して配置される放熱板と、放熱板を加熱することにより放熱板を介してフィルタの一部を加熱するヒータと、放熱板に対してフィルタを移動させる駆動部と、ヒータ及び放熱板が配置される加熱空間部を有するケースと、を備える。ケースの外部には、加熱空間部に対するフィルタの移動方向の下流側に隣接して、フィルタの吸着物質を分解させる分解空間部が設けられている。【選択図】図１０
2018167147.tif 000002
【特許請求の範囲】
【請求項１】
板状に形成されるフィルタと、
前記フィルタの一部に対向して配置される放熱板と、
前記放熱板を加熱することにより前記放熱板を介して前記フィルタの一部を加熱するヒータと、
前記放熱板に対して前記フィルタを移動させる駆動部と、
前記ヒータ及び前記放熱板が配置される加熱空間部を有するケースと、を備え、
前記ケースの外部には、前記加熱空間部に対する前記フィルタの移動方向の下流側に隣接して、前記フィルタの吸着物質を分解させる分解空間部が設けられている、吸着ユニット。
【請求項２】
前記駆動部は、前記ヒータによって前記フィルタを加熱しているときに、前記加熱空間部に対して前記フィルタを移動させる、
請求項１に記載の吸着ユニット。
【請求項３】
前記駆動部は、前記フィルタの一部が前記加熱空間部内を通過する間に、前記フィルタに吸着物質の分解作用が生じる所定温度まで加熱されるように前記フィルタを移動させる、
請求項１または２に記載の吸着ユニット。
【請求項４】
前記分解空間部には、前記フィルタの一部を加熱する補助加熱部が配置されている、
請求項１ないし３のいずれか１項に記載の吸着ユニット。
【請求項５】
請求項１ないし４のいずれか１項に記載の吸着ユニットを備え、
前記フィルタは、空気が通過することにより前記空気に含有される臭気成分を吸着し、加熱されることにより前記臭気成分を分解する、
空気清浄機。
【請求項６】
前記吸着ユニットの前記ヒータによって前記フィルタを加熱しているときに、前記フィルタへ送風する送風ユニットを更に備える、
請求項５に記載の空気清浄機。
【発明の詳細な説明】
【技術分野】
【０００１】
本発明は、吸着ユニット及び空気清浄機に関する。
【背景技術】
【０００２】
従来、室内の空気を脱臭フィルタに通過させることにより、空気に含まれる臭気成分を脱臭フィルタに吸着させ、脱臭フィルタを加熱することにより、脱臭フィルタの脱臭能力を再生させる空気清浄機が知られている。このような空気清浄機のなかには、板状の脱臭フィルタが回転可能に設けられるとともに、脱臭フィルタの一部を、放熱板によって加熱する加熱空間部を備える空気清浄機が知られている。
【先行技術文献】
【特許文献】
【０００３】
【特許文献１】特開２０１６−４９４０２号公報
【発明の概要】
【発明が解決しようとする課題】
【０００４】
上述の空気清浄機では、加熱空間部に対する脱臭フィルタの回転を停止させた後、加熱空間部内に位置する脱臭フィルタの一部を所定温度まで加熱することで、脱臭フィルタの脱臭触媒に、臭気成分を分解する作用を生じさせる。脱臭フィルタは、加熱された脱臭触媒の分解作用により、脱臭フィルタに吸着された臭気成分を分解することによって、脱臭フィルタの一部の吸着性能を再生させている。このような空気清浄機では、加熱空間部内で脱臭フィルタの一部を加熱した後、脱臭フィルタを回転させることにより、加熱された一部に続く、次の脱臭フィルタの一部を加熱空間部内に停止させて、脱臭フィルタの吸着性能の再生を繰り返している。
【０００５】
このとき、加熱空間部内から退出した脱臭フィルタの一部は、加熱空間部の外側で脱臭フィルタを通過する空気に晒されることにより、加熱された一部の温度が急激に低下し、脱臭触媒の分解作用が失われてしまう。このため、加熱空間部の外側の通風空間部では、脱臭フィルタによる臭気成分の分解作用が得られなかった。
【０００６】
開示の技術は、上記に鑑みてなされたものであって、吸着物質を除去する効率を高めることができる吸着ユニットおよび空気清浄機を提供することを目的とする。
【課題を解決するための手段】
【０００７】
本願の開示する吸着ユニットの一態様は、板状に形成されるフィルタと、前記フィルタの一部に対向して配置される放熱板と、前記放熱板を加熱することにより前記放熱板を介して前記フィルタの一部を加熱するヒータと、前記放熱板に対して前記フィルタを移動させる駆動部と、前記ヒータ及び前記放熱板が配置される加熱空間部を有するケースと、を備え、前記ケースの外部には、前記加熱空間部に対する前記フィルタの移動方向の下流側に隣接して、前記フィルタの吸着物質を分解させる分解空間部が設けられている。
【発明の効果】
【０００８】
本願の開示する吸着ユニットの一態様によれば、吸着物質を除去する効率を高めることができる。
【図面の簡単な説明】
【０００９】
【図１】図１は、実施例の空気清浄機の外観を示す斜視図である。
【図２】図２は、実施例の空気清浄機を示す平面図である。
【図３】図３は、実施例の空気清浄機を示す図１におけるＡ−Ａ断面図である。
【図４】図４は、実施例の空気清浄機を示す図１におけるＢ−Ｂ断面図である。
【図５】図５は、実施例の脱臭ユニットを示す斜視図である。
【図６】図６は、実施例の脱臭ユニットを示す分解斜視図である。
【図７】図７は、実施例の脱臭ユニットの脱臭フィルタ部を示す斜視図である。
【図８】図８は、実施例の脱臭ユニットのフィルタ再生部を示す図６におけるＣ−Ｃ断面図である。
【図９】図９は、実施例の脱臭ユニットのフィルタ再生部を示す分解斜視図である。
【図１０】図１０は、実施例の脱臭ユニットにおける脱臭フィルタの臭気成分の分解作用を説明するための模式図である。
【図１１】図１１は、実施例の脱臭ユニットにおいて空気中の臭気成分を分解する効率を説明するためのグラフである。
【図１２】図１２は、実施例の脱臭ユニットにおける分解空間部の変形例を示す模式図である。
【発明を実施するための形態】
【００１０】
以下に、本願の開示する吸着ユニット及び空気清浄機の実施例を図面に基づいて詳細に説明する。なお、以下の実施例によって、本願の開示する吸着ユニット及び空気清浄機が限定されるものではない。
【実施例】
【００１１】
［空気清浄機の構成］
図１は、実施例の空気清浄機の外観を示す斜視図である。一実施例である空気清浄機１は、図１に示すように、本体筐体１１と、前面パネル１２と、フロントパネル１３と、リアパネル１４と、を備えている。本体筐体１１は、合成樹脂材で形成され、略直方体状に形成されている。本体筐体１１は、天面パネル１１ａ、右側面パネル１１ｂ、左側面パネル１１ｃ及び底部１１ｄを備えている。底部１１ｄは、本体筐体１１の下部を形成しており、空気清浄機１が設置される設置面に載置される。右側面パネル１１ｂと左側面パネル１１ｃは、対向するように配置されることにより本体筐体１１の側面を形成し、それぞれの下端が底部１１ｄに接合されている。天面パネル１１ａは、本体筐体１１の上部を形成しており、右側面パネル１１ｂの上端と左側面パネル１１ｃの上端とに接合されている。前面パネル１２は、本体筐体１１の前面に配置されている。フロントパネル１３は、前面パネル１２の前方に配置されている。
【００１２】
フロントパネル１３と前面パネル１２との間には、上面吸込口１３ａ、右側面吸込口１３ｂ、左側面吸込口１３ｃ及び下側吸込口１３ｄが形成されている。上面吸込口１３ａは、フロントパネル１３の上側に配置されている。右側面吸込口１３ｂは、フロントパネル１３の右側面パネル１１ｂの側に配置されている。左側面吸込口１３ｃは、フロントパネル１３の左側面パネル１１ｃの側に配置されている。下側吸込口１３ｄは、フロントパネル１３の底部１１ｄの側に配置されている。
【００１３】
空気清浄機１は、操作部１５をさらに備えている。操作部１５は、上面吸込口１３ａの一部を覆うように、空気清浄機１の上面に配置されている。操作部１５は、ボタン及び表示部を有する。ボタンは、電源ボタンや運転モード切り換えボタン等を含み、空気清浄機１を操作するときに用いられる。表示部は、空気清浄機１の運転状態や図示しない塵埃センサ等の検出器の検出結果を表示する。
【００１４】
図２は、実施例の空気清浄機を示す平面図である。リアパネル１４は、合成樹脂材で形成され、図２に示すように、前面パネル１２が配置される前面の反対側の背面に配置されている。本体筐体１１とリアパネル１４との間には、上面吹出口１４ａと右側面吹出口１４ｂと左側面吹出口１４ｃとが形成されている。上面吹出口１４ａは、リアパネル１４の天面パネル１１ａの側に配置されている。右側面吹出口１４ｂは、リアパネル１４の右側面パネル１１ｂの側に配置されている。左側面吹出口１４ｃは、リアパネル１４の左側面パネル１１ｃの側に配置されている。
【００１５】
空気清浄機１は、上面吸込口１３ａ、右側面吸込口１３ｂ、左側面吸込口１３ｃ及び下側吸込口１３ｄのそれぞれから本体筐体１１に吸い込んだ空気を、上面吹出口１４ａ、右側面吹出口１４ｂ及び左側面吹出口１４ｃのそれぞれから吹き出すまでに、空気の除塵処理、加湿処理及び脱臭処理を行う。
【００１６】
なお、図１以降において、空気清浄機１の前後方向（奥行方向）をＸ方向、空気清浄機１の幅方向をＹ方向、空気清浄機１の高さ方向をＺ方向として示す。また、以下の説明では、本体筐体１１の前面パネル１２が配置される側を「前面側」とし、本体筐体１１のリアパネル１４が配置される側を「背面側」とする。
【００１７】
図３は、実施例の空気清浄機を示す図１におけるＡ−Ａ断面図である。本体筐体１１は、図３に示すように、内部に通風路１０が形成されている。通風路１０は、上面吸込口１３ａと右側面吸込口１３ｂと左側面吸込口１３ｃと下側吸込口１３ｄとを、上面吹出口１４ａと右側面吹出口１４ｂと左側面吹出口１４ｃとに連通している。
【００１８】
空気清浄機１は、さらに、プレフィルタ２１、集塵ユニット２２、吸着ユニットとしての脱臭ユニット２３、加湿ユニット２４及び送風ユニットとしての送風機２５を備えている。プレフィルタ２１、集塵ユニット２２、脱臭ユニット２３、加湿ユニット２４及び送風機２５は、本体筐体１１の内部の通風路１０に配置されている。
【００１９】
プレフィルタ２１は、例えば、糸状のＰＥＴ（ポリエチレンテレフタラート）材が編み込まれた網目構造体として形成されている。プレフィルタ２１は、通風路１０の前面側に配置されている。プレフィルタ２１は、上面吸込口１３ａ、右側面吸込口１３ｂ、左側面吸込口１３ｃ及び下側吸込口１３ｄから本体筐体１１の内部の通風路１０にそれぞれ吸い込まれる空気に含まれる塵埃を捕集する。
【００２０】
集塵ユニット２２は、通風路１０のうちのプレフィルタ２１の背面側に配置されている。本体筐体１１は、さらに、仕切板１６を備えている。仕切板１６は、フロントパネル１３の背面側に配置されており、本体筐体１１の一部を形成している。集塵ユニット２２は、第１電気集塵機２２ａ及び第２電気集塵機２２ｂを有する。第１電気集塵機２２ａ及び第２電気集塵機２２ｂは、上下方向に並べられ、仕切板１６に支持されている。第１電気集塵機２２ａ及び第２電気集塵機２２ｂは、それぞれ、図示しない筐体、放電電極及び集塵電極を有する。筐体の内部には、放電電極と集塵電極が支持されている。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、第１電気集塵機２２ａと第２電気集塵機２２ｂとが、放電電極及び集塵電極、筐体とで形成されていることにより、例えば不織布をプリーツ形状に形成してなる他の集塵フィルタに比べて、空気抵抗が小さい。
【００２１】
脱臭ユニット２３は、通風路１０のうちのプレフィルタ２１の背面側に配置されている。加湿ユニット２４は、通風路１０のうちの脱臭ユニット２３の背面側に配置されている。加湿ユニット２４は、加湿フィルタ２４ａ及び貯水タンク２４ｂを有する。貯水タンク２４ｂには、水が貯留される。加湿フィルタ２４ａは、円板形状に形成されており、貯水タンク２４ｂに溜められた水に、加湿フィルタ２４ａの一部が浸るように配置されている。加湿フィルタ２４ａは、さらに、貯水タンク２４ｂに溜められた水に浸る部分が移動するように、回転軸により回転可能に支持されており、図示しないモータにより回転される。加湿ユニット２４は、貯水タンク２４ｂに溜められた水により湿らされた加湿フィルタ２４ａに空気を通じることにより、通風路１０を流れる空気を加湿する。
【００２２】
なお、加湿ユニット２４は、上記の構成に限らず、例えば、貯水タンク２４ｂに溜められた水を加湿フィルタ２４ａの外周側に形成された複数の凹部で汲み上げて加湿フィルタ２４ａを湿潤させる水車のように構成されてもよい。この場合、加湿フィルタ２４ａは貯水タンク２４ｂに溜められた水に浸からないように設けられてもよい。また、加湿フィルタ２４ａは回転しないように設けられてもよい。この場合、加湿フィルタ２４ａは、貯水タンク２４ｂに溜められた水を毛細管現象により吸い上げる他の加湿フィルタに置換されてもよい。
【００２３】
送風機２５は、通風路１０のうちの加湿ユニット２４の背面側に配置されている。送風機２５は、ターボファン２５ａ及びファンモータ２５ｂを有する。ファンモータ２５ｂは、回転数可変であり、ターボファン２５ａを回転させる。ターボファン２５ａは、合成樹脂材によって形成されており、ファンモータ２５ｂの出力軸に接続されている。ターボファン２５ａは、回転することにより、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって空気を流す。すなわち、送風機２５は、上面吸込口１３ａ、右側面吸込口１３ｂ、左側面吸込口１３ｃ及び下側吸込口１３ｄから、空気清浄機１の内部へ空気を取り込み、通風路１０に沿って空気を通過させる。送風機２５は、さらに、上面吹出口１４ａ、右側面吹出口１４ｂ及び左側面吹出口１４ｃを介して、通風路１０を通過した空気を空気清浄機１の外部に放出する。
【００２４】
送風機２５は、ファンモータ２５ｂの中心の高さＤが、集塵ユニット２２の第１電気集塵機２２ａと第２電気集塵機２２ｂとの間の空間の高さと一致するように配置されている。ファンモータ２５ｂの中心付近は、ターボファン２５ａの回転による空気の流れが少ないので、通風路１０におけるファンモータ２５ｂの中心付近の空間での空気の流れが少ない。集塵ユニット２２は、第１電気集塵機２２ａと第２電気集塵機２２ｂとの間を空気が通過しない。このため、集塵ユニット２２は、空気の流れが多い空間に第１電気集塵機２２ａ及び第２電気集塵機２２ｂが配置されることにより、除塵を高効率に行うことができる。
【００２５】
図４は、実施例の空気清浄機１を示す図１におけるＢ−Ｂ断面図である。プレフィルタ２１は、図４に示すように、中央が前面側に向かって凸となるアーチ形状に形成されている。このため、プレフィルタ２１は、プレフィルタ２１を平坦状に形成する場合と比べて、上面吸込口１３ａ、右側面吸込口１３ｂ、左側面吸込口１３ｃ及び下側吸込口１３ｄから、本体筐体１１の内部にそれぞれ吸い込まれた空気がプレフィルタ２１を通過する面積が大きい。これにより、プレフィルタ２１は、上面吸込口１３ａ、右側面吸込口１３ｂ、左側面吸込口１３ｃ及び下側吸込口１３ｄから、本体筐体１１の内部に吸い込まれた空気から、より一層多くの塵埃を捕集することが可能とされている。
【００２６】
［脱臭ユニットの構成］
図５は、実施例の脱臭ユニットを示す斜視図である。実施例の吸着ユニットとしての脱臭ユニット２３は、図５に示すように、脱臭フィルタ部２３ａと、フィルタ再生部２３ｆと、保持部２３ｇとを有する。脱臭フィルタ部２３ａは、円板状に形成されている。フィルタ再生部２３ｆは、略三角柱形状に形成されており、脱臭フィルタ部２３ａの周方向における一部の両面を覆っている。保持部２３ｇは、本体筐体１１に固定されており、脱臭フィルタ部２３ａ及びフィルタ再生部２３ｆを支持している。
【００２７】
図６は、実施例の脱臭ユニット２３を示す分解斜視図である。保持部２３ｇは、図６に示すように、合成樹脂材によって略四角形状に形成されており、脱臭フィルタ部２３ａの形状に応じた円形状の開口部２３ｇｄが中央に形成されている。さらに、保持部２３ｇは、開口部２３ｇｄの上方（保持部２３ｇを通風路１０に配置したときに上側となる箇所。以下、「上方」と記載）には、フィルタ再生部２３ｆの形状に応じた凹形状の再生部収納部２３ｇｅが形成されている。
【００２８】
さらに、脱臭ユニット２３は、２個のローラ２３ｍ、回転検出用歯車２３ｋ、回転検出部２３ｒ、駆動部２３ｈ、駆動歯車２３ｊ及び４枚の押さえ部材２３ｚを有する。２個のローラ２３ｍの各々は、合成樹脂材によって形成されており、筒部２３ｍｂ、上フランジ２３ｍｃ及び下フランジ２３ｍｄを有する。筒部２３ｍｂは、孔２３ｍａを有する円筒形状に形成されている。上フランジ２３ｍｃ及び下フランジ２３ｍｄは、各々筒部２３ｍｂよりも直径が大きい円板形状に形成されており、筒部２３ｍｂの両端から外周側へ張り出している。保持部２３ｇには、２本の第１軸２３ｇａが形成されている。２本の第１軸２３ｇａは、保持部２３ｇの下方（保持部２３ｇを通風路１０に配置したときに下側となる箇所。）の両隅に配置されている。２本の第１軸２３ｇａは、それぞれ、２個のローラ２３ｍの孔２３ｍａに挿入されることにより、２個のローラ２３ｍを回転自在に支持している。
【００２９】
回転検出用歯車２３ｋは、合成樹脂材によって形成されている。保持部２３ｇには、さらに、第２軸２３ｇｂが形成されている。第２軸２３ｇｂは、再生部収納部２３ｇｅの左側（脱臭フィルタ部２３ａを前面側から見たときの左側）に配置されている。第２軸２３ｇｂは、回転検出用歯車２３ｋが挿入されることにより、回転検出用歯車２３ｋを回動自在に支持している。回転検出部２３ｒは、回転検出用歯車２３ｋの回転を検出する。回転検出部２３ｒとしては、例えば、フォトインタラプタが用いられている。フォトインタラプタは、発光部及び受光部を有しており、発光部と受光部が、検知対象を挟んで互いに対向して配置されている。フォトインタラプタは、発光部から発光された光を受光部で検出することにより、検出対象の有無や位置を検出することが可能になる。
【００３０】
駆動歯車２３ｊは、合成樹脂材で形成されている。駆動部２３ｈは、例えばステッピングモータを有しており、ステッピングモータの出力軸に駆動歯車２３ｊが取り付けられている。保持部２３ｇには、さらに、駆動部固定部２３ｇｃが形成されている。駆動部固定部２３ｇｃは、再生部収納部２３ｇｅの右側（脱臭フィルタ部２３ａを前面側から見たときの右側）に配置されて、駆動部２３ｈを支持している。駆動部２３ｈは、駆動歯車２３ｊを回転させる。
【００３１】
４枚の押さえ部材２３ｚは、合成樹脂材によって、略五角形状の板材として形成されており、保持部２３ｇに嵌め込み可能な形状に形成されている。押さえ部材２３ｚは、２個のローラ２３ｍ、回転検出用歯車２３ｋ、駆動部２３ｈ及び駆動歯車２３ｊが保持部２３ｇに装着された後に、保持部２３ｇに嵌め込まれる。押さえ部材２３ｚは、保持部２３ｇに嵌め込まれることにより、２個のローラ２３ｍと回転検出用歯車２３ｋと駆動部２３ｈと駆動歯車２３ｊとを押さえて、保持部２３ｇから外れないように支持している。
【００３２】
図７は、実施例の脱臭ユニットの脱臭フィルタ部２３ａを示す斜視図である。脱臭フィルタ部２３ａは、図７に示すように、脱臭フィルタ２３ａａ、外周部フィルタカバー２３ａｃ及び内周部フィルタカバー２３ａｅを有する。
【００３３】
脱臭フィルタ２３ａａは、円板状に形成されており、中央に貫通孔２３ａａｏが形成されている。脱臭フィルタ２３ａａは、脱臭フィルタ２３ａａの厚さ方向に空気が通過するように形成されている。脱臭フィルタ２３ａａは、吸着物質としての臭気成分を吸着する吸着剤と、臭気成分を分解する作用を生じる脱臭触媒と、を含有する。なお、本実施例の脱臭フィルタ２３ａａは、吸着剤と脱臭触媒とを別々に含有するが、本発明はこれに限られない。したがって、例えば、脱臭フィルタ２３ａａは、吸着性能を備える触媒（吸着脱臭触媒）を含有してもよい。脱臭フィルタ２３ａａは、通過する空気から臭気成分を吸着し、後述するＰＴＣヒータ２３ｂによって加熱されることで、吸着された臭気成分を分解する。例えば、脱臭フィルタ２３ａａは、図示しない基材と、基材に形成された触媒層とを有する。基材は、アルミニウム等の板材によって形成されており、ハニカム構造に例示される多孔構造に形成されている。触媒層は、触媒によって形成されており、基材の表面を被覆している。触媒は、触媒層の近傍を流れる空気から臭気成分を吸着し、加熱されることにより、吸着された臭気成分を分解する。脱臭フィルタ２３ａａは、多孔構造に形成されていることにより、及び、フィルタ再生部２３ｆが脱臭フィルタ２３ａａの一部のみを覆い大部分を覆っていないことにより、空気抵抗が小さい。
【００３４】
外周部フィルタカバー２３ａｃは、概ね円環状に形成されており、脱臭フィルタ２３ａａの外周部に沿って配置されている。外周部フィルタカバー２３ａｃは、脱臭フィルタ２３ａａの外周縁部を覆って脱臭フィルタ２３ａａの外周部の端面を保護している。内周部フィルタカバー２３ａｅは、概ね円環状に形成されており、脱臭フィルタ２３ａａの貫通孔２３ａａｏの内部に配置されており、脱臭フィルタ２３ａａにおける内周縁部を覆って内周部の端面を保護している。内周部フィルタカバー２３ａｅには、貫通孔２３ａｄが形成されている。
【００３５】
また、外周部フィルタカバー２３ａｃには、脱臭フィルタ２３ａａの厚み方向（Ｘ方向）における両面に、脱臭フィルタ２３ａａの厚み方向に突出する第１凸部２３ａｃｐがそれぞれ一体に形成されている。また、外周部フィルタカバー２３ａｃと同様に、内周部フィルタカバー２３ａｅには、脱臭フィルタ２３ａａの厚み方向（Ｘ方向）における両面に、脱臭フィルタ２３ａａの厚み方向に突出する第２凸部２３ａｅｐがそれぞれ一体に形成されている。これら第１凸部２３ａｃｐ及び第２凸部２３ａｅｐによって、脱臭フィルタ２３ａａの厚み方向において、放熱板２３ｃと脱臭フィルタ２３ａａとの間隔が適正に規制される。
【００３６】
［フィルタ再生部の構成］
図８は、実施例の脱臭ユニット２３のフィルタ再生部２３ｆを示す図６におけるＣ−Ｃ断面を示している。フィルタ再生部２３ｆは、図８に示すように、ケース２３ｅと、放熱板２３ｃと、ＰＴＣ（Ｐｏｓｉｔｉｖｅ  Ｔｅｍｐｅｒａｔｕｒｅ  Ｃｏｅｆｆｉｃｉｅｎｔ）ヒータ２３ｂと、を有する。ケース２３ｅは、略三角柱形状の箱状に形成されている。ケース２３ｅは、脱臭フィルタ部２３ａの周方向の一部を覆っている。ケース２３ｅは、組み合わされる一対の、前面側ケース部材２３ｅａと、背面側ケース部材２３ｅｂと、を有する。前面側ケース部材２３ｅａは、ケース２３ｅの前面側の部分を形成している。背面側ケース部材２３ｅｂは、ケース２３ｅの背面側の部分を形成している。前面側ケース部材２３ｅａと背面側ケース部材２３ｅｂで構成されたケース２３ｅの内部には空間が形成される。この空間は、例えば、後述するように、ＰＴＣヒータ２３ｂが配置される加熱空間部Ｓ１となる。
【００３７】
放熱板２３ｃは、対向して配置される一組の前面側放熱板２３ｃａと背面側放熱板２３ｃｂを有する。前面側放熱板２３ｃａは、ケース２３ｅの内部に支持されている。前面側放熱板２３ｃａは、脱臭フィルタ部２３ａの周方向における一部に対向する。脱臭フィルタ部２３ａは、前面側放熱板２３ｃａによって脱臭フィルタ部２３ａの一部が前面側から覆われている。同様に、背面側放熱板２３ｃｂは、ケース２３ｅの内部に支持されている。背面側放熱板２３ｃｂは、脱臭フィルタ部２３ａの周方向における一部に対向する。脱臭フィルタ部２３ａは、背面側放熱板２３ｃｂによって脱臭フィルタ部２３ａの一部が背面側から覆われている。
【００３８】
ＰＴＣヒータ２３ｂは、通電されることにより発熱し、温度上昇に伴って抵抗値が増加する性質を有しており、この性質を利用して発熱量を自己制御する。ＰＴＣヒータ２３ｂは、直方体状に形成されており、ケース２３ｅの内部に設けられている。ＰＴＣヒータ２３ｂは、脱臭フィルタ部２３ａの外周側に配置されており、前面側放熱板２３ｃａと背面側放熱板２３ｃｂとの間に挟まれて支持されている。ＰＴＣヒータ２３ｂは、後述する背面側放熱板２３ｃｂの位置決め突起２３ｃｆ（図９）に突き当てられる。また、ＰＴＣヒータ２３ｂは、背面側ケース部材２３ｅｂに形成された支持部に突き当てられることにより、ＰＴＣヒータ２３ｂはＺ方向への移動が規制される。
【００３９】
図９は、実施例の脱臭ユニットのフィルタ再生部２３ｆを示す分解斜視図である。前面側放熱板２３ｃａ及び背面側放熱板２３ｃｂは、例えば、アルミニウム材またはアルミ合金材等の熱伝導性が良好な材料によって形成されている。前面側放熱板２３ｃａは、図９に示すように、脱臭フィルタ部２３ａの前面側に配置されている。前面側放熱板２３ｃａの外形は、脱臭フィルタ部２３ａの貫通孔２３ａｄから脱臭フィルタ部２３ａの外周側に向かうにつれて左右方向（脱臭フィルタ部２３ａの周方向）に対する幅寸法が大きくなる略三角形状に形成されている。前面側放熱板２３ｃａは、フィルタ対向面２３ｃａａとカバー対向面２３ｃａｂを有する。フィルタ対向面２３ｃａａは、前面側放熱板２３ｃａの一方の面であり、カバー対向面２３ｃａｂは、前面側放熱板２３ｃａの他方の面である。前面側放熱板２３ｃａには、脱臭フィルタ部２３ａの貫通孔２３ａｄと対応する貫通孔２３ｃａｇが形成されている。貫通孔２３ｃａｇには、後述する背面側ケース部材２３ｅｂの軸部２３ｘａが挿通される。
【００４０】
背面側放熱板２３ｃｂは、脱臭フィルタ部２３ａの背面側に対向して配置されている。背面側放熱板２３ｃｂの外形は、脱臭フィルタ部２３ａの貫通孔２３ａｄから外周側に向かうにつれて左右方向（脱臭フィルタ部２３ａの周方向）に対する幅寸法が大きくなる略三角形状に形成されている。背面側放熱板２３ｃｂは、フィルタ対向面２３ｃｂａとカバー対向面２３ｃｂｂを有する。フィルタ対向面２３ｃｂａは、背面側放熱板２３ｃｂの一方の面であり、カバー対向面２３ｃｂｂは、フィルタ対向面２３ｃｂａの他方の面である。
【００４１】
図８及び図９に示すように、背面側放熱板２３ｃｂのフィルタ対向面２３ｃｂａには、ＰＴＣヒータ２３ｂを位置決めする位置決め突起２３ｃｆが設けられており、位置決め突起２３ｃｆがＰＴＣヒータ２３ｂの外周面に当たることで、Ｚ方向の一方側（脱臭フィルタ部２３ａの内周側）に対するＰＴＣヒータ２３ｂの位置が規制されている。また、背面側放熱板２３ｃｂと同様に、前面側放熱板２３ｃａのフィルタ対向面２３ｃａａにも、ＰＴＣヒータ２３ｂを位置決めする位置決め突起２３ｃｇが設けられている（図８参照）。背面側放熱板２３ｃｂの内周側端部には、後述する背面側ケース部材２３ｅｂの軸部２３ｘａが挿通される貫通孔２３ｃｂｇが形成されている。
【００４２】
ＰＴＣヒータ２３ｂは、前面側放熱板２３ｃａのフィルタ対向面２３ｃａａ及び背面側放熱板２３ｃｂのフィルタ対向面２３ｃｂａにおける脱臭フィルタ部２３ａの外周側の側縁部に、前面側放熱板２３ｃａと背面側放熱板２３ｃｂとの間に挟まれて支持されている。前面側放熱板２３ｃａは、フィルタ対向面２３ｃａａが脱臭フィルタ部２３ａに対向するように配置されている。背面側放熱板２３ｃｂは、フィルタ対向面２３ｃｂａが脱臭フィルタ部２３ａに対向するように配置されている。なお、ＰＴＣヒータ２３ｂと、前面側放熱板２３ｃａ及び背面側放熱板２３ｃｂとの間には、熱伝導性を高めるために熱伝導グリース等が塗布されてもよい。
【００４３】
説明の便宜上、背面側ケース部材２３ｅｂから先に説明する。背面側ケース部材２３ｅｂは、合成樹脂材によって形成されている。背面側ケース部材２３ｅｂの外形は、図９に示すように、背面側放熱板２３ｃｂの外形よりも一回り大きく形成されている。背面側ケース部材２３ｅｂは、その内側に加熱空間部Ｓ１ｂ（加熱空間部Ｓ１の背面側に相当する）を有する。例えば、加熱空間部Ｓ１ｂにはＰＴＣヒータ２３ｂ及び背面側放熱板２３ｃｂが配置される。加熱空間部Ｓ１ｂは、脱臭フィルタ２３ａａを加熱するための空間として機能する。
【００４４】
背面側ケース部材２３ｅｂは、有底の箱状に形成されており、背面側ケース部材２３ｅｂは、底部２３ｅｄａと、背面側ケース部材２３ｅｂの外周に沿って形成された外周壁としての第１側部２３ｅｄｂ、第２側部２３ｅｄｃ、第３側部２３ｅｄｄ及び第４側部２３ｅｄｅと、を有する。底部２３ｅｄａは、略三角形の板状に形成されている。第１側部２３ｅｄｂ、第２側部２３ｅｄｃ、第３側部２３ｅｄｄ及び第４側部２３ｅｄｅは、それぞれ、底部２３ｅｄａの外周部から立ち上がって形成されている。第１側部２３ｅｄｂは、底部２３ｅｄａの外周部における、脱臭フィルタ部２３ａの貫通孔２３ａｄ側に配置される部分に形成されている。第４側部２３ｅｄｅは、底部２３ｅｄａの外周部における、脱臭フィルタ部２３ａの外周側に配置される部分に形成されている。第２側部２３ｅｄｃと第３側部２３ｅｄｄは、底部２３ｅｄａの外周部のＹ方向の両側の部分に形成されている。底部２３ｅｄａと第１側部２３ｅｄｂ、第２側部２３ｅｄｃ、第３側部２３ｅｄｄ及び第４側部２３ｅｄｅとで囲まれた空間が背面側内部空間となる。
【００４５】
背面側ケース部材２３ｅｂの底部２３ｅｄａには、脱臭フィルタ部２３ａの貫通孔２３ａｄに挿通されて脱臭フィルタ部２３ａを回転可能に支持する軸部２３ｘａが形成されている。軸部２３ｘａは、結合部材としてのネジ２３ｔ等がねじ込まれる貫通孔２３ｘａａを有する。また、背面側ケース部材２３ｅｂの底部２３ｅｄａのＹ方向における両側には、前面側ケース部材２３ｅａと背面側ケース部材２３ｅｂとを一体に固定する結合部材としてのネジ２３ｔ等がねじ込まれる貫通孔を有するボス２３ｘｂがそれぞれ形成されている。
【００４６】
図８及び図９に示すように、前面側ケース部材２３ｅａは、背面側ケース部材２３ｅｂと同様に、合成樹脂材によって形成されている。前面側ケース部材２３ｅａの外形は、前面側放熱板２３ｃａの外形よりも一回り大きく形成されている。前面側ケース部材２３ｅａは、その内側に加熱空間部Ｓ１ａ（加熱空間部Ｓ１の前面側に相当する）を有する。例えば、加熱空間部Ｓ１ａには、ＰＴＣヒータ２３ｂ及び前面側放熱板２３ｃａが配置される。加熱空間部Ｓ１ａは、前面側放熱板２３ｃａを介して脱臭フィルタ２３ａａを加熱するための空間として機能する。
【００４７】
前面側ケース部材２３ｅａは、有底の箱状に形成されており、底部２３ｅｃａと、前面側ケース部材２３ｅａの外周に沿って形成された外周壁としての第１側部２３ｅｃｂ、第２側部２３ｅｃｃ、第３側部２３ｅｃｄ及び第４側部２３ｅｃｅと、を有する。底部２３ｅｃａは、略三角形の板状に形成されている。第１側部２３ｅｃｂ、第２側部２３ｅｃｃ、第３側部２３ｅｃｄ及び第４側部２３ｅｃｅは、それぞれ、底部２３ｅｃａの外周部から立ち上がって形成されている。第１側部２３ｅｃｂは、底部２３ｅｃａの外周部における、脱臭フィルタ部２３ａの貫通孔２３ａｄ側に配置される部分に形成されている。第４側部２３ｅｃｅは、底部２３ｅｃａの外周部における、脱臭フィルタ部２３ａの外周側に配置される部分に形成されている。第２側部２３ｅｃｃと第３側部２３ｅｃｄは、底部２３ｅｃａの外周部のＹ方向の両側の部分に形成されている。底部２３ｅｃａと第１側部２３ｅｃｂ、第２側部２３ｅｃｃ、第３側部２３ｅｃｄ及び第４側部２３ｅｃｅとで囲まれた空間が前面側内部空間となる。
【００４８】
前面側ケース部材２３ｅａの底部２３ｅｃａには、脱臭フィルタ部２３ａの貫通孔２３ａｄに対向する位置に軸座部２３ｘｃが形成される。軸座部２３ｘｃには背面側ケース部材２３ｅｂの軸部２３ｘａの先端が突き当てられる。軸座部２３ｘｃはネジ２３ｔがねじ込まれる貫通孔を有する。
【００４９】
前面側ケース部材２３ｅａと背面側ケース部材２３ｅｂとが組み合わされることで、ＰＴＣヒータ２３ｂ、前面側放熱板２３ｃａ及び背面側放熱板２３ｃｂ、脱臭フィルタ部２３ａの一部が内部に収容されるケース２３ｅが構成される。脱臭フィルタ部２３ａの貫通孔２３ａｄには、背面側ケース部材２３ｅｂの軸部２３ｘａが挿通されることで、脱臭フィルタ部２３ａが軸部２３ｘａに回転可能に支持されている。また、図８及び図９に示すように、軸部２３ｘａは、円筒状のシャフト部材２３ｘｅ内へ通されており、脱臭フィルタ部２３ａの貫通孔２３ａｄに通されたシャフト部材２３ｘｅを介して、脱臭フィルタ部２３ａを支持している。シャフト部材２３ｘｅは、例えば、ステンレス等の熱伝導性を有する金属材料等によって形成されている。
【００５０】
以上のように組み立てられた脱臭ユニット２３は、図６に示すように、フィルタ再生部２３ｆが保持部２３ｇの再生部収納部２３ｇｅ内に収容されている。また、脱臭フィルタ部２３ａは、外周部フィルタカバー２３ａｃの歯車部３８が駆動歯車２３ｊに噛み合わされており、駆動部２３ｈによって回転される。さらに、脱臭フィルタ部２３ａは、外周部フィルタカバー２３ａｃの歯車部３８が回転検出用歯車２３ｋに噛み合わされており、回転検出部２３ｒによって回転が検出される。
【００５１】
上述のように構成された脱臭フィルタ部２３ａについて、本実施例の特徴となる構成を以下説明する。図１０は、実施例の脱臭ユニット２３における脱臭フィルタ２３ａａの臭気成分の分解作用を説明するための模式図である。
【００５２】
図１０に示すように、実施例の脱臭ユニット２３では、ケース２３ｅ内の加熱空間部Ｓ１内で脱臭フィルタ２３ａａを加熱しながら、駆動部２３ｈによって脱臭フィルタ２３ａａをＲ方向へ回転させる。このとき、駆動部２３ｈは、脱臭フィルタ２３ａａの一部が加熱空間部Ｓ１内を通過する間に、脱臭フィルタ２３ａａの脱臭触媒に吸着物質の分解作用が、要求するレベルまで高まる温度（以下、「所定温度」という）まで加熱されるように脱臭フィルタ２３ａａを移動させる。このため、脱臭フィルタ２３ａａの回転方向であるＲ方向に対する加熱空間部Ｓ１の下流側には、例えば、所定温度よりも低く被処理空気よりも高い温度帯となる領域Ｓ２（以下、「分解空間部Ｓ２」という）が加熱空間部Ｓ１に隣接して生じている。
【００５３】
分解空間部Ｓ２を適正に生じさせるために、例えば駆動部２３ｈは、脱臭フィルタ２３ａａを所定速度で回転し続ける。これにより、加熱空間部Ｓ１内で加熱された脱臭フィルタ２３ａａが、順次、通風路１０に供給され続ける。これにより、脱臭フィルタ２３ａａには、加熱空間部Ｓ１の下流側に、所定温度よりも低く被処理空気よりも高い温度となった脱臭触媒が、分解空間部Ｓ２内で保たれている。言い換えると、駆動部２３ｈは、制御部としての駆動制御回路（図示せず）によってステッピングモータが駆動制御されることにより、加熱空間部Ｓ１内で加熱された脱臭フィルタ２３ａａの一部の温度が、分解空間部Ｓ２内で所定温度以上に保たれるように、脱臭フィルタ２３ａａを回転させる。また、実施例の脱臭ユニット２３では、加熱空間部Ｓ１内でＰＴＣヒータ２３ｂによって脱臭フィルタ２３ａａの一部を加熱しているときに、送風機２５によって脱臭フィルタ２３ａａへの送風を行う。
【００５４】
このため、加熱空間部Ｓ１に隣接する分解空間部Ｓ２内では、脱臭フィルタ２３ａａの脱臭触媒の分解作用が保たれることにより、脱臭フィルタ２３ａａに吸着された臭気成分の分解が続くと共に、脱臭フィルタ２３ａａを通過する空気中の臭気成分も分解される。このように分解空間部Ｓ２内では、脱臭フィルタ２３ａａに吸着された臭気成分と、脱臭フィルタ２３ａａを通過する空気中の臭気成分とがそれぞれ分解されることの相乗効果により、通風路１０で脱臭フィルタ２３ａａにより除去される臭気成分の量が増加する。
【００５５】
また、Ｒ方向へ回転する脱臭フィルタ２３ａａの周方向において、分解空間部Ｓ２の下流側から加熱空間部Ｓ１の上流側までの間に、脱臭フィルタ２３ａａの温度が、例えば被処理空気と同じ温度（以下「常温」という）となる領域Ｓ３（以下、「常温空間部Ｓ３」という）が存在する。常温空間部Ｓ３では、脱臭フィルタ２３ａａを通過する空気により、脱臭フィルタ２３ａａの温度が常温になる。したがって、常温空間部Ｓ３では、臭気成分の分解作用が低下し、脱臭フィルタ２３ａａは主として被処理空気の臭気成分を吸着する。
【００５６】
本実施例では、脱臭フィルタ２３ａａの周方向に対する加熱空間部Ｓ１及び分解空間部Ｓ２の大きさ（角度）に関して、脱臭フィルタ２３ａａの脱臭触媒の温度が、所定温度である８０℃以上になったときに脱臭触媒に要求するレベルの分解作用が生じるものとし、脱臭フィルタ２３ａａを８０℃まで加熱するのに要する加熱時間を３０秒程度として算出した。脱臭フィルタ２３ａａの一部は、加熱空間部Ｓ１内で所定温度まで加熱された後に加熱空間部Ｓ１から退出したとき、１分で常温付近まで低下する。
【００５７】
このことを踏まえて、加熱空間部Ｓ１が中心Ｏ１回り（軸部２３ｘａ回り）になす角度θ１を３６°に設定した場合、加熱空間部Ｓ１の角度θ１＝３６°を３０秒間かけて通過するために必要なステッピングモータの回転速度は１６０［ＰＰＳ］となる。そして、ステッピングモータを１６０［ＰＰＳ］で回転させたときに、脱臭フィルタ２３ａａが１分間で回転する角度は、１６０［ＰＰＳ］×６０秒＝９６００パルス≒７２°となる。このため、本実施例では、分解空間部Ｓ２が、中心Ｏ１回りになす角度θ２が７２°程度に設定されている。したがって、脱臭フィルタ２３ａａの周方向において加熱空間部Ｓ１と、分解空間部Ｓ２と、常温空間部Ｓ３との比率は、３６°：７２°：２５２°＝１：２：７に設定されている。
【００５８】
実施例の脱臭ユニット２３の清浄能力に関する測定結果を図１１に示す。図１１は、実施例の脱臭ユニット２３が空気中の臭気成分（ホルムアルデヒド）を分解する効率を説明するためのグラフである。図１１において、縦軸が、臭気成分としてのホルムアルデヒドの濃度［ｐｐｍ］を示し、横軸が、時間［分］を示す。実施例では、上述のように加熱空間部Ｓ１内で脱臭フィルタ２３ａａを加熱しながら脱臭フィルタ２３ａａを回転させる動作を行った。比較例では、加熱空間部Ｓ１内で脱臭フィルタ２３ａａを加熱するときに脱臭フィルタ２３ａａの回転を停止し、加熱空間部Ｓ１内での脱臭フィルタ２３ａａの加熱後に脱臭フィルタ２３ａａを回転させる動作を行った。図１１では、実施例を実線で示し、比較例を破線で示す。
【００５９】
図１１に示すように、実施例では、比較例と比べて、空気清浄機１の運転開始直後からホルムアルデヒドの濃度が低く抑えられると共に、ホルムアルデヒドの濃度を低下させる効率が高められた。また、実施例によれば、運転開始から６０分間経過時のホルムアルデヒドの濃度が、比較例における濃度の１／４以下に低減された。このように実施例においてホルムアルデヒドの分解が促進された結果をＣＡＤＲ（Ｃｌｅａｎ  Ａｉｒ  Ｄｅｌｉｖｅｒｙ  Ｒａｔｅ（クリーンエア供給率））で表すと以下のようになる。なお、ＣＡＤＲは、１時間あたりに供給できる清浄空気の量（ｍ３／ｈ）と定義される。風量を４２６［ｍ３／ｈ］とした場合、ホルムアルデヒドのＣＡＤＲ［ｍ３／ｈ］は、比較例が１６［ｍ３／ｈ］であるのに比べ、実施例が２４［ｍ３／ｈ］となる。したがって、実施例のＣＡＤＲは比較例のＣＡＤＲよりも５０％高くなる。
【００６０】
なお、本実施例は、加熱空間部Ｓ１内で脱臭フィルタ２３ａａの一部を加熱しながら、脱臭フィルタ２３ａａを連続的に回転させる回転動作に限定されず、加熱空間部Ｓ１内で脱臭フィルタ２３ａａの一部を加熱しながら、脱臭フィルタ２３ａａを間欠的に回転させてもよい。駆動部２３ｈは、例えば、加熱空間部Ｓ１が、中心Ｏ１回り（軸部２３ｘａ回り）になす角度θよりも小さい角度で、脱臭フィルタ２３ａａを間欠的に回転させることで、脱臭フィルタ２３ａａの一部が加熱空間部Ｓ１内に留まる時間、すなわち加熱時間を所定時間だけ容易に確保することが可能になる。また、脱臭フィルタ２３ａａを間欠的に回転させることで、脱臭フィルタ２３ａａの周方向に対する加熱空間部Ｓ１の大きさ（角度）を小さくすることが可能になる。
【００６１】
なお、分解空間部Ｓ２には、必要に応じて、脱臭フィルタ２３ａａを加熱するための別の加熱部が設けられてもよい。分解空間部Ｓ２内で、別の加熱部を用いて脱臭フィルタ２３ａａを加熱することで、脱臭触媒の分解作用が得られる所定温度に脱臭フィルタ２３ａａの温度を容易に保つことができる。
【００６２】
図１２は、実施例の脱臭ユニットにおける分解空間部Ｓ２の変形例を示す模式図である。図１２に示すように、分解空間部Ｓ２内には、補助加熱部としての補助ヒータと補助放熱板３２ａ、３２ｂが設けられている。分解空間部Ｓ２は、例えば補助ヒータとしてＰＴＣ補助ヒータ３１ａ、３１ｂを有する。また、ＰＴＣ補助ヒータ３１ａ、３１ｂによって加熱される一組の補助放熱板３２ａ、３２ｂと、を有する。一組の補助放熱板３２ａ、３２ｂは、脱臭フィルタ２３ａａの厚み方向における両面に対向して配置されている。ＰＴＣ補助ヒータ３１ａ、３１ｂは、脱臭フィルタ２３ａａの外周側に、脱臭フィルタ２３ａａの外周に沿って配置されており、一組の補助放熱板３２ａ、３２ｂの間に挟まれている。補助放熱板３２ａ、３２ｂは、例えば、脱臭フィルタ２３ａａの周方向に対する分解空間部Ｓ２内の大きさ（角度）に対応する扇状に形成されており、複数の通気孔３３を有するパンチングメタルや金網等が用いられている。補助放熱板３２ａ、３２ｂは、複数の通気孔３３を有することにより、送風機２５から送られた空気が脱臭フィルタ２３ａａをスムーズに通過することが可能とされている。
【００６３】
また、上述した変形例の分解空間部Ｓ２では、ＰＴＣ補助ヒータ３１ａ、３１ｂの熱によって、補助放熱板３２ａ、３２ｂを介して脱臭フィルタ２３ａａを直接的に加熱されたが、補助ヒータの熱によって脱臭フィルタ２３ａａが間接的に加熱されてもよい。図示しないが、この構成の場合、例えば、補助ヒータと、補助ヒータによって加熱される放熱部材と、を有する。放熱部材は、脱臭フィルタ２３ａａへ送風する送風機２５と脱臭フィルタ２３ａａとの間において、例えば、分解空間部Ｓ２内における脱臭フィルタ２３ａａに対向する位置に配置される。放熱部材は、複数の放熱フィンを有し、送風機２５から送られた空気が放熱フィンによって温められて熱風となり、熱風が脱臭フィルタ２３ａａを通過することで、熱風を介して脱臭フィルタ２３ａａを間接的に加熱する。また、上述した変形例では補助ヒータを備えていたが、補助ヒータは有していなくてもよい。この場合は、例えば補助放熱板３２ａ、３２ｂの熱源として、加熱空間部Ｓ１内のＰＴＣヒータ２３ｂが用いられてもよい。
【００６４】
また、分解空間部Ｓ２内で補助ヒータを用いて加熱する構成では、脱臭フィルタ２３ａａの回転速度や、脱臭フィルタ２３ａａの脱臭触媒に分解作用が生じる所定温度等に応じて、脱臭フィルタ２３ａａの周方向に対する分解空間部Ｓ２の角度を任意に調整することが可能になる。
【００６５】
なお、上述した実施例では、脱臭フィルタ２３ａａの回転方向に対するケース２３ｅの下流側、すなわちケース２３ｅの外部に分解空間部Ｓ２が設けられたが、ケース２３ｅの内部に分解空間部Ｓ２が設けられてもよい。この構成の場合、例えば、ケース２３ｅは、分解空間部Ｓ２を覆うように延ばされて、ケース２３ｅにおける分解空間部Ｓ２に対応する領域に、脱臭フィルタ２３ａａに対する空気の通気性を確保するために通気孔が設けられてもよい。ケース２３ｅの一部には、パンチングメタルや金網等によって補助放熱板３２ａ、３２ｂが一体に形成されてもよい。また、ケース２３ｅ内には、加熱空間部Ｓ１と分解空間部Ｓ２とを仕切る仕切り壁が設けられてもよい。
【００６６】
［空気清浄機の動作］
空気清浄機１は、使用者が操作部１５を操作することで、運転を開始する。空気清浄機１は、運転を開始したとき、送風機２５が駆動されると共に、集塵ユニット２２の第１電気集塵機２２ａ及び第２電気集塵機２２ｂが通電され、加湿ユニット２４の加湿フィルタ２４ａが回転を開始する。空気清浄機１は、送風機２５が駆動されることで、上面吸込口１３ａ、右側面吸込口１３ｂ、左側面吸込口１３ｃ及び下側吸込口１３ｄから、本体筐体１１の内部へ空気が吸い込まれる。
【００６７】
本体筐体１１の内部に吸い込まれた空気は、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって通風路１０を流れる。通風路１０を流れる空気は、まず、プレフィルタ２１によって塵埃が捕集される。プレフィルタ２１によって塵埃が捕集された空気は、プレフィルタ２１で捕集されなかった細かな塵埃や花粉等が、集塵ユニット２２によって捕集される。集塵ユニット２２によって塵埃が捕集された空気は、一部が脱臭ユニット２３に供給され、残りが加湿ユニット２４に供給される。
【００６８】
脱臭ユニット２３に供給された空気は、保持部２３ｇの開口部２３ｇｄを介して、脱臭フィルタ２３ａａにおけるフィルタ再生部２３ｆによって覆われていない通風面に供給される。脱臭フィルタ２３ａａの通風面に供給された空気は、脱臭フィルタ２３ａａを通過することにより、臭気成分が除去され、脱臭される。このとき、脱臭ユニット２３の脱臭フィルタ２３ａａは、脱臭ユニット２３に供給された空気が、プレフィルタ２１と集塵ユニット２２とにより塵埃や花粉等があらかじめ除去されていることにより、塵埃や花粉等によって目詰まりすることが防止される。
【００６９】
脱臭ユニット２３により脱臭された空気は、一部が加湿ユニット２４に供給され、残りが送風機２５に供給される。加湿ユニット２４に供給された空気は、加湿ユニット２４により加湿される。加湿ユニット２４によって加湿された空気は、送風機２５に供給される。送風機２５に供給された空気は、上面吹出口１４ａ、右側面吹出口１４ｂ及び左側面吹出口１４ｃから、空気清浄機１の外部へ吹き出される。
【００７０】
空気清浄機１は、運転中に、ＰＴＣヒータ２３ｂに継続して通電を行うと共に、駆動部２３ｈを駆動させる。このとき、例えば、脱臭フィルタ部２３ａを所定時間で１回転するように連続的に回転させる、あるいは、脱臭フィルタ部２３ａを所定時間毎に所定角度ずつ回転するように間欠的に回転させる。空気清浄機１は、脱臭フィルタ部２３ａを回転させることにより、脱臭フィルタ２３ａａの周方向におけるフィルタ再生部２３ｆで覆われる部分の脱臭能力を再生する。すなわち、空気清浄機１は、脱臭フィルタ２３ａａのフィルタ再生部２３ｆで覆われる位置の脱臭能力の再生を行いつつ、脱臭フィルタ２３ａａのフィルタ再生部２３ｆで覆われていない部分を通過する空気を脱臭する。また、本実施例では、脱臭フィルタ２３ａａを回転させながら、脱臭フィルタ２３ａａへ空気を通過させることにより、分解空間部Ｓ２内において、脱臭フィルタ２３ａａの脱臭能力の再生作用を維持しながら、脱臭フィルタ２３ａａを通過する空気中の臭気成分を分解する。
【００７１】
上述のように実施例の脱臭ユニット２３は、ケース２３ｅの外部に、加熱空間部Ｓ１に対する脱臭フィルタ２３ａａの移動方向の下流側に隣接して、脱臭フィルタ２３ａａの吸着物質を分解させる分解空間部Ｓ２が設けられている。これにより、脱臭フィルタ２３ａａに吸着された臭気成分の分解が続くと共に、脱臭フィルタ２３ａａを通過する空気中の臭気成分も分解される。このため、脱臭フィルタ２３ａａへの臭気成分の吸着性を高めることができる。その結果、臭気成分の浄化性能を高めることができる。
【００７２】
また、実施例の脱臭ユニット２３が有する駆動部２３ｈは、ＰＴＣヒータ２３ｂによって脱臭フィルタ２３ａａを加熱しているときに、加熱空間部Ｓ１に対して脱臭フィルタ２３ａａを移動させる。これにより、脱臭フィルタ２３ａａの移動方向における加熱空間部Ｓ１の下流側に、分解空間部Ｓ２を適正に設けることができる。このとき、脱臭フィルタ２３ａａは、加熱空間部Ｓ１に対して連続に移動、または間欠的に移動されてもよい。
【００７３】
また、実施例の脱臭ユニット２３が有する駆動部２３ｈは、脱臭フィルタ２３ａａの一部が加熱空間部Ｓ１内を通過する間に、脱臭フィルタ２３ａａの脱臭触媒に吸着物質の分解作用が生じる所定温度まで加熱されるように脱臭フィルタ２３ａａを移動させる。これにより、脱臭フィルタ２３ａａの移動方向における加熱空間部Ｓ１の下流側に、分解空間部Ｓ２を適正に設けることができる。
【００７４】
また、実施例の脱臭ユニット２３が有する分解空間部Ｓ２には、脱臭フィルタ２３ａａの一部を加熱する補助加熱部として、例えばＰＴＣ補助ヒータ３１ａ、３１ｂ、補助放熱板３２ａ、３２ｂが配置されている。これにより、分解空間部Ｓ２内で、脱臭フィルタ２３ａａの温度を、臭気成分の分解作用が生じる所定温度以上に容易に保つことができる。
【００７５】
また、実施例の脱臭ユニット２３は、ＰＴＣヒータ２３ｂによって脱臭フィルタ２３ａａを加熱しているときに、脱臭フィルタ２３ａａへ送風する送風機２５を備える。これにより、分解空間部Ｓ２内で、脱臭フィルタ２３ａａを通過する空気中の臭気成分を分解することが可能になるので、臭気成分の浄化性能を高めることができる。
【符号の説明】
【００７６】
１  空気清浄機
２３  脱臭ユニット（吸着ユニット）
２３ａ  脱臭フィルタ部
２３ａａ  脱臭フィルタ（フィルタ）
２３ａｃ  外周部フィルタカバー（カバー）
２３ｂ  ＰＴＣヒータ（ヒータ）
２３ｃ  放熱板
２３ｈ  駆動部
２５  送風機（送風ユニット）
Ｓ１（Ｓ１ａ、Ｓ１ｂ）  加熱空間部
Ｓ２  分解空間部
３１ａ、３１ｂ  ＰＴＣ補助ヒータ（補助加熱部）
３２ａ、３２ｂ  補助放熱板
３３  通気孔
【図１】
2018167147.tif 000003
【図２】
2018167147.tif 000004
【図３】
2018167147.tif 000005
【図４】
2018167147.tif 000006
【図５】
2018167147.tif 000007
【図６】
2018167147.tif 000008
【図７】
2018167147.tif 000009
【図８】
2018167147.tif 000010
【図９】
2018167147.tif 000011
【図１０】
2018167147.tif 000012
【図１１】
2018167147.tif 000013
【図１２】
2018167147.tif 000014